(57)【要約】      （修正有）【課題】開蓋時において蓋体に衝撃が加わっても蓋体の破損を防止することができるとともに、長期間に渡って使用しても破損しにくい蓋開閉装置を提供する。【解決手段】カメラ本体におけるバッテリー収納部を隠蔽可能な大きさを有するバッテリーカバー１２と、バッテリーカバー１２をカメラ本体の筐体に対して回動自在に結合するヒンジユニットとを備え、バッテリー収納部を隠蔽する第１の状態と、バッテリー収納部を露出する第２の状態とに、選択的に移行可能な蓋開閉装置であって、ヒンジユニットは、第２の状態において、バッテリーカバー１２が第１の状態へ移行する時の回動の向きとは異なる向きに回動可能なように、バッテリーカバー１２を筐体に結合している。【選択図】図６
2008089754.tif 000002
【特許請求の範囲】
【請求項１】
機器本体における被隠蔽部を隠蔽可能な大きさを有するカバー本体と、
前記カバー本体を、前記機器本体の外面を構成する筐体に対して回動自在に結合する結合部材とを備え、
前記被隠蔽部を隠蔽する第１の状態と、前記被隠蔽部を露出する第２の状態とに、選択的に移行可能な蓋開閉装置であって、
前記結合部材は、
前記第２の状態において、前記カバー本体が前記第１の状態へ移行する時の回動の向きと反対の向きに回動可能なように、前記カバー本体を前記筐体に結合している、
蓋開閉装置。
【請求項２】
前記結合部材は、
前記カバー本体に配されている第１の結合部材と、
一端が前記筐体に回動自在に結合され、他端が前記第１の結合部材に回動自在に結合されている第２の結合部材と、
前記第２の結合部材の一端を前記筐体に対して回動自在に結合する第１の支軸と、
前記第２の結合部材の他端を前記第１の結合部材の端部に対して回動自在に結合する第２の支軸とを備えた、
請求項１記載の蓋開閉装置。
【請求項３】
前記第１の結合部材に形成されている接合部と、
前記第２の結合部材に形成され、前記接合部に接合する状態と離間する状態とに選択的に移行可能な被接合部とを備え、
前記接合部及び前記被接合部は、
前記カバー本体が、前記第１の状態または前記第２の状態の時に、互いに接合し、
前記カバー本体が、前記第２の状態において前記カバー本体が前記第１の状態へ移行する時の回動の向きと反対の向きに回動した時に、互いに離間する、
請求項２記載の蓋開閉装置。
【請求項４】
前記第１の結合部材は、
前記カバー本体に対してスライド自在に配されている、請求項１記載の蓋開閉装置。
【請求項５】
前記被隠蔽部は、
前記機器本体に電源供給が可能なバッテリーを収納することができるバッテリー収納部である、
請求項１記載の蓋開閉装置。
【発明の詳細な説明】
【技術分野】
【０００１】
本発明は、蓋を開閉可能に結合する蓋開閉装置に関する。
【背景技術】
【０００２】
ビデオカメラやデジタルスチルカメラなどの携帯型電子機器には、バッテリー収納部を隠蔽可能な蓋体や、メモリーカードを着脱可能なカードスロットを隠蔽可能な蓋体や、各種信号ケーブルを接続可能な端子部を隠蔽可能な蓋体など、様々な蓋体が搭載されている。上記のような蓋体は、１本の支軸を使ったヒンジによって機器筐体に回動自在に配されている構成が一般的であり、蓋体の回動角度は、バッテリー収納部などの被隠蔽部を隠蔽している状態から９０〜１２０度であることが多い。
【０００３】
このような携帯型電子機器において、蓋体を開いてバッテリーやメモリーカードなどを交換している時、誤って携帯型電子機器を落下させてしまうと、蓋体やヒンジを破損してしまう可能性がある。このような問題を解消する構成が、例えば特許文献１に開示されている。
【０００４】
特許文献１には、筐体本体部に設けられた開口部を閉蓋可能に形成され、筐体本体部内に配設された弾性部材に回動可能に結合された蓋体を備えている。蓋体は、弾性部材に対する回動可能範囲を越えてさらに回動される力を受けても、弾性部材を弾性変形させるので、変形や破損を防止することができる。なお、弾性部材は、ポリエチレンの如き適度な可撓性と弾力性を有する材料により形成されている。
【特許文献１】特開平５−２５１８７１号公報
【発明の開示】
【発明が解決しようとする課題】
【０００５】
しかしながら特許文献１に開示されている弾性部材は、ポリエチレンなどの伸長性のある材料で形成されているため、長期間に渡る蓋体の開閉動作に伴って疲労または劣化し、破損しやすくなってしまう。弾性部材が破損してしまうと、蓋体を筐体に対して開閉可能に結合することができなくなってしまうという問題点がある。
【０００６】
本発明は、上記問題点を鑑み、開蓋時において蓋体に衝撃が加わっても蓋体の破損を防止することができるとともに、長期間に渡って使用しても破損しにくい蓋開閉装置を提供することを目的とする。
【課題を解決するための手段】
【０００７】
上記目的を達成するために本発明の蓋開閉装置は、機器本体における被隠蔽部を隠蔽可能な大きさを有するカバー本体と、前記カバー本体を、前記機器本体の外面を構成する筐体に対して回動自在に結合する結合部材とを備え、前記被隠蔽部を隠蔽する第１の状態と、前記被隠蔽部を露出する第２の状態とに、選択的に移行可能な蓋開閉装置であって、前記結合部材は、前記第２の状態において、前記カバー本体が前記第１の状態へ移行する時の回動の向きと反対の向きに回動可能なように、前記カバー本体を前記筐体に結合している。
【発明の効果】
【０００８】
本発明の蓋開閉装置は、蓋体の開蓋時において衝撃が加わっても、蓋体の破損を防止することができる。
【０００９】
また、長期間に渡って使用しても、蓋開閉装置における可動部品の劣化や疲労がほとんどなく、耐久性を向上させることができる。
【発明を実施するための最良の形態】
【００１０】
本発明の蓋開閉装置は、前記結合部材は、前記カバー本体に配されている第１の結合部材と、一端が前記筐体に回動自在に結合され、他端が前記第１の結合部材に回動自在に結合されている第２の結合部材と、前記第２の結合部材の一端を前記筐体に対して回動自在に結合する第１の支軸と、前記第２の結合部材の他端を前記第１の結合部材の端部に対して回動自在に結合する第２の支軸とを備えた構成とすることができる。このように、２本の支軸で結合部材を回動可能な構成としたことにより、蓋開閉時に弾性変形する部品を使用せずに蓋開閉装置を実現することができるため、長期間に渡って使用しても部品の劣化がほとんどなく、耐久性を向上させることができる。
【００１１】
また、前記第１の結合部材に形成されている接合部と、前記第２の結合部材に形成され、前記接合部に接合する状態と離間する状態とに選択的に移行可能な被接合部とを備え、前記接合部及び前記被接合部は、前記カバー本体が、前記第１の状態または前記第２の状態の時に、互いに接合し、前記カバー本体が、前記第２の状態において前記カバー本体が前記第１の状態へ移行する時の回動の向きと反対の向きに回動した時に、互いに離間する構成とすることができる。この構成により、カバー本体を第１の状態及び第２の状態の間を回動させる際、不意にカバー本体が第１の状態へ移行する時の回動の向きとは異なる向きに回動することを防ぐことができるため、使い勝手を向上させることができる。
【００１２】
また、前記第１の結合部材は、前記カバー本体に対してスライド自在に配されている構成とすることができる。この構成により、カバー本体をスライドさせて閉蓋状態でロックさせる蓋開閉装置に適用が可能になる。
【００１３】
また、前記被隠蔽部は、前記機器本体に電源供給が可能なバッテリーを収納することができるバッテリー収納部である構成とすることができる。
【００１４】
（実施の形態１）
〔１．蓋開閉装置の構成〕
〔1-1．蓋開閉装置が搭載される機器の構成〕
図１〜図３は、実施の形態１の蓋開閉装置が搭載される機器の外観を示す。図１及び図２は、機器の正立状態を示す。図３は、図１及び図２に対して機器を天地逆転させた状態を示す。
【００１５】
図１〜図３において、カメラ本体１は、前面にレンズ部２が配され、前面に対向する後面に操作部３が配され、前面及び後面に隣接した第１の側面に液晶表示部４が配され、上面１ａにマイクやズームスイッチなどが配され、上面１ａに対向する底面１ｂにカバーユニット１０が配されている。カバーユニット１０によって覆われている部位には、バッテリー収納部５が内蔵されている。なお、本実施の形態では、機器の一例としてビデオカメラを挙げて説明するが、デジタルスチルカメラや携帯電話機などの他の機器であってもよく、少なくともカバーユニット１０と、カバーユニット１０で隠蔽可能なバッテリー収納部５（被隠蔽部の一例）とが搭載されている機器であればよい。
【００１６】
レンズ部２は、対物レンズやズームレンズなどを備えており、カメラ本体１内におけるレンズ光軸方向の端部には、ＣＣＤイメージセンサーなどで構成されている撮像素子が配されている。本実施の形態では、レンズ部２に含まれている対物レンズが、カメラ本体１の前面に露出して配されている。
【００１７】
操作部３は、使用者によってカメラ本体１の各種操作を行うことができるものである。本実施の形態では、静止画または動画撮影の命令操作を行うことができるレリーズボタンや、各種メニュー操作を行うことができるボタン類などが配されている。
【００１８】
液晶表示部４は、第１の側面において、ヒンジ（不図示）によって開閉自在に配されている。液晶表示部４は、その主面に２〜４インチ程度の液晶ディスプレイが配されており、カメラ本体１内の撮像素子で撮像中の映像や、カメラ本体１内に配されているメモリーカードなどの情報媒体から読み出された映像などを表示させることができる。
【００１９】
図３に示すように、バッテリー収納部５は、図６および図７を参照して後述するように、内部にバッテリー６を着脱可能な空間を有し、その空間をカバーユニット１０で隠蔽可能に構成されている。なお、バッテリー収納部５及びカバーユニット１０の具体的な構成については後述する。
【００２０】
〔1-2．蓋開閉装置の構成〕
図４Ａは、本実施の形態の蓋開閉装置の分解斜視図である。図４Ｂは、ヒンジユニットの構成を示す分解斜視図であり、図４Ａにおけるヒンジユニット周辺を拡大した図である。図４Ｃは、カバーユニットの構成を示す分解斜視図であり、図４Ａにおけるカバーユニット周辺を拡大した図である。
【００２１】
図４Ａに示すように、本実施の形態の蓋開閉装置は、バッテリーケース１１、バッテリーカバー１２、押さえピース１３、ヒンジユニット１４、第１のコイルバネ１５、第１の支軸１６、ネジ１７、押し出しバネ１８、フレキシブルプリント基板（以下ＦＰＣと称する）１９、リアフレーム２０、ネジ２１、ロックツマミ２２、第２のコイルバネ２３、ロックフレーム２４、およびネジ２５を備えている。また、図４Ｂに示すように、ヒンジユニット１４は、第１の結合部材３１、第２の結合部材３２、第２の支軸３３、およびＥリング３４を備えている。なお、図１に示すカバーユニット１０は、図４Ｃに示すようにバッテリーカバー１２、押さえピース１３、ヒンジユニット１４、およびネジ１７で構成されている。
【００２２】
バッテリーケース１１（図４Ａ参照）は、樹脂などで一体成型され、内部にバッテリー６を収納可能な空間が形成されている。また、バッテリーケース１１は、ネジ２１が螺合されるネジ穴１１ａと、ネジ２５が螺合されるネジ穴１１ｂと、第１の支軸１６が挿入及び圧入される孔部１１ｃと、バッテリーカバー１２に形成されている爪部１２ｃが係合可能な爪部１１ｄと、ロックツマミ２２を配置させるための切り欠き部１１ｅとが形成されている。本実施の形態では、ネジ穴１１ａはバッテリーケース１１の第１の側面に３カ所形成されている。また、ネジ穴１１ｂは、バッテリーケース１１の第１の側面に隣接する第２の側面に１カ所形成されている。また、孔部１１ｃは、バッテリーケース１１の第１の側面の端部近傍において、第１の側面の短辺方向に形成されている。なお、孔部１１ｃは、互いに同一軸上に配された第１及び第２の孔部で構成され、第１の孔部は第１の支軸１６を挿通可能な内径を有し、第２の孔部は第１の支軸１６を圧入可能な内径を有している。したがって、第１の支軸１６は、孔部１１ｃに装着される際、第１の孔部を挿通させた後、第２の孔部に圧入固定される。
【００２３】
バッテリーカバー１２は、樹脂などで一体成型され、バッテリーケース１１における空間を隠蔽する部材である。また、バッテリーカバー１２は、カメラ本体１に組み付けられた際に、その外面が外部に露出するように配される。また、バッテリーカバー１２の外面１２ｅには、使用者によるスライド操作を容易に行うことができるように、微小な凹凸を形成してもよい。また、バッテリーカバー１２は、内面にネジ１７が螺合されるネジ穴１２ａと、ヒンジユニット１４をガイドするリブ１２ｂと、バッテリーケース１１に形成されている爪部１１ｄに係合可能な爪部１２ｃとが形成されている。本実施の形態では、ネジ穴１２ａは４カ所に形成されている。また、リブ１２ｂは、互いに平行な２カ所に形成され、ヒンジユニット１４のスライド方向に平行になるように形成されている。また、爪部１２ｃは、バッテリーカバー１２の内面の縁部近傍に、２カ所形成されている。
【００２４】
押さえピース１３は、樹脂などで一体成型され、バッテリーカバー１２とともにヒンジユニット１４を挟持する部材である。押さえピース１３には、図４Ｃに示すように、外部に露出する第１面から、バッテリーカバー１２に対向配置される第２面に至るまで、４カ所の孔部１３ａが貫通形成されている。また、押さえピース１３の第１面には、バッテリーケース１１にバッテリー６を収納しカバーユニット１０を閉蓋状態にした時に、バッテリー６の外面に当接する２カ所のリブ１３ｂが形成されている。また、押さえピース１３の第２面には、第１の結合部材３１に形成されているバネ部３１ｂの先端の突起部が嵌合可能な凹部１３ｃが形成されている。また、押さえピース１３の第２面には、ヒンジユニット１４における開口部３１ｄにスライド可能に嵌合するリブ（不図示）が形成されている。バッテリーカバー１２及び押さえピース１３は、第２面に形成されているリブ及び開口部３１ｄによってガイドされてスライド可能である。
【００２５】
ヒンジユニット１４は、一端にバッテリーカバー１２及び押さえピース１３がスライド自在に保持され、他端はバッテリーケース１１に回動自在に保持されている。すなわち、ヒンジユニット１４は、バッテリーカバー１２等をカメラ本体１に対して回動自在に結合するものであり、これによりバッテリーカバー１２をバッテリー収納部５に対して開閉させることができる。また、ヒンジユニット１４は、図４Ｂに示すように、第１の結合部材３１、第２の結合部材３２、第２の支軸３３、およびＥリング３４を備えている。
【００２６】
第１の結合部材３１は、板金などで形成され、バッテリーカバー１２及び押さえピース１３によってスライド自在に挟持されている部材である。また、第１の結合部材３１には、ガイド部３１ａ、バネ部３１ｂ、孔部３１ｃ、開口部３１ｄ、および孔部３１ｅが形成されている。ガイド部３１ａは、第１の結合部材３１の主面に対して略直角に折り曲げられた部分を指している。また、ガイド部３１ａは、第１の結合部材３１のスライド方向に平行な方向でかつ、互いに平行に２カ所形成されている。バネ部３１ｂは、一端が第１の結合部材３１に結合された板バネで構成され、開口部３１ｄ内に弾性変形可能に形成されている。また、バネ部３１ｂの先端には、略円弧形状に突出する突起部３１ｆが形成されている。突起部３１ｆは、押さえピース１３の第２面に形成されている凹部１３ｃに、第２面側から嵌合可能に形成され、ヒンジユニット１４が押さえピース１３に対してスライド動作を行うのに伴って、凹部１３ｃに嵌合または離脱する。孔部３１ｃは、ガイド部３１ａの長手方向端部に形成され、第２の支軸３３を挿通可能な内径を有している。したがって、開口部３１ｄは、第１の結合部材３１の主面の略中央に形成されている。孔部３１ｅは、ガイド部３１ａの長手方向端部に形成され、第２の結合部材３２に形成されている突起部３２ａ（後述）が嵌合可能である。
【００２７】
第２の結合部材３２は、板金などで形成され、一方の端部は第１の結合部材３１に回動自在に結合され、他方の端部はバッテリーケース１１に回動自在に結合されている。また、第２の結合部材３２は、突起部３２ａと、孔部３２ｂと、孔部３２ｃと、切り欠き部３２ｄとが形成されている。突起部３２ａは、カバーユニット１０が第１の状態（図３）または第２の状態（図６）の時に、第１の結合部材３１に形成されている孔部３１ｅに嵌合されることで、第２の結合部材３２を第１の結合部材３１に対して水平な状態を維持させることができる。孔部３２ｂは、第１の支軸１６が挿通される孔であり、互いに対向する部位にそれぞれ形成されている。孔部３２ｃは、第２の支軸３３が挿通される孔であり、互いに対向する部位にそれぞれ形成されている。切り欠き部３２ｄは、第１のコイルバネ１５を配置させるための空間である。
【００２８】
第２の支軸３３は、第１の結合部材３１と第２の結合部材３２とを互いに回動自在に結合するものである。また、第２の支軸３３は、その先端近傍における円筒面上に溝部３３ａが形成されている。
【００２９】
Ｅリング３４は、略Ｅ字形状の平板リングであり、第２の支軸３３に形成されている溝部３３ａに嵌合される。Ｅリング３４を溝部３３ａに嵌合させることで、第２の支軸３３が孔部３１ｃ及び３２ｃから抜けるのを防ぐことができ、第１の結合部材３１及び第２の結合部材３２から脱落するのを防ぐことができる。
【００３０】
図４Ａにおいて、第１のコイルバネ１５は、ねじりコイルバネで構成され、そのコイル部分には第１の支軸１６が挿通される。また、第１のコイルバネ１５の一端は、バッテリーケース１１の外面に支持され、他端は第２の結合部材３２に形成されている孔部に係合されている。これにより、第１のコイルバネ１５は、カバーユニット１０が開蓋する方向に、第２の結合部材３２に付勢力を与えている。
【００３１】
第１の支軸１６は、ヒンジユニット１４をバッテリーケース１１に回動自在に結合する部材である。第１の支軸１６は、第２の結合部材３２の孔部３２ｂと第１のコイルバネ１５のコイル部分に挿通され、第１の支軸１６の先端がバッテリーケース１１に形成されている孔部１１ｃに圧入されている。
【００３２】
ネジ１７は、押さえピース１３をバッテリーカバー１２に固定させるためのネジであり、押さえピース１３に形成されている孔部１３ａを挿通後、バッテリーカバー１２に形成されているネジ孔１２ａに螺合されている。
【００３３】
押し出しバネ１８は、コイルバネにより構成され、バッテリーケース１１の内部底面に配される。これにより、バッテリーケース１１に収納されているバッテリー６に対して、取り出し方向の付勢力を与えることができる。なお、押し出しバネ１８は、図示しないが、バッテリーケース１１に形成されている溝部にスライド挿入されて、バッテリーケース１１に保持されている。
【００３４】
ＦＰＣユニット１９は、バッテリー６の電気接点に電気的に接触可能な複数のコンタクトと、コンタクトに接続されるとともに電源回路に接続されているＦＰＣとを備えている。ＦＰＣユニット１９は、バッテリーケース１１の側面に配され、リアフレーム２０（後述）とともに挟持して保持される。
【００３５】
リアフレーム２０は、板金などで形成され、ＦＰＣユニット１９をバッテリーケース１１に保持させている。また、リアフレーム２０は、ネジ２１を挿通可能な３カ所の孔部２０ａが形成されている。
【００３６】
ネジ２１は、リアフレーム２０をバッテリーケース１１に固定させるものであり、リアフレーム２０に形成されている孔部２０ａを挿通させた後、バッテリーケース１１に形成されているネジ穴１１ａに螺合させる。
【００３７】
ロックツマミ２２は、バッテリーケース１１のバッテリー取り出し口近傍に配され、かつスライド可能に配されている。ロックツマミ２２は、バッテリーケース１１に配されているバッテリー６の端部に当接し、バッテリー６がバッテリーケース１１外へ飛び出さないように規制するものである。すなわち、ロックツマミ２２は、バッテリー６に対して投影面上で重なりバッテリー６の飛び出し規制を行っている第１位置と、バッテリー６に対して投影面上で重ならない第２位置との間を、スライド可能に配されている。また、ロックツマミ２２の第１面には、使用者がスライド操作を容易に行うことができるように、複数の微小突起を形成してもよい。また、ロックツマミ２２の第１面の反対面である第２面には、突起部が形成されている。
【００３８】
第２のコイルバネ２３は、ロックツマミ２２の第２面に形成されている突起部に嵌合され、ロックツマミ２２とロックフレーム２４との間に配される。また、第２のコイルバネ２３は、ロックツマミ２２が常に第１位置にあるように、ロックツマミ２２に付勢力を与えている。
【００３９】
ロックフレーム２４は、板金などで構成され、ネジ２５によってバッテリーケース１１に固定されている。また、ロックフレーム２４は、ロックツマミ２２の一部と第２のコイルバネ２３とを挟んで、バッテリーケース１１に固定されている。
【００４０】
ネジ２５は、ロックフレーム２４の孔部２４ａを挿通後、バッテリーケース１１のネジ穴１１ｂに螺合される。
【００４１】
なお、上記各部品の材質は、上記した材質に限らず、他の材質で形成しても同様に実現することができる。また、ネジの個数などは上記に限定されない。
【００４２】
〔２．蓋開閉装置の組み立て方法〕
本実施の形態の蓋開閉装置を組み立てる際は、まず、図４Ｂに示すように、ヒンジユニット１４を組み立てる。具体的には、第２の結合部材３２を第１の結合部材３１におけるガイド部３１ａ間に配置させ、両者を第２の支軸３３で回動自在に結合する。この時、第２の支軸３３は、一方のガイド部３１ａに形成されている孔部３１ｃを挿通させ、第２の結合部材３２に形成されている孔部３２ｃを挿通させ、他方のガイド部３１ａに形成されている孔部３１ｃに挿通させる。次に、第２の支軸３３に形成されている溝部３３ａに、Ｅリング３４を嵌合させる。これにより、第２の支軸３３は、第１の結合部材３１及び第２の結合部材３２から脱落することを防ぐことができる。なお、第２の支軸３３のもう一方の端部（溝部３３ａが形成されていない側の端部）には、予めフランジが形成されているため、Ｅリングなどは必要ない。これにより、図４Ａに示すようなヒンジユニット１４が完成する。
【００４３】
次に、図４Ａに示すように、ヒンジユニット１４を、バッテリーカバー１２の内面に配置させ、その上部に押さえピース１３を配置させる。すなわち、バッテリーカバー１２と押さえピース１３とで、ヒンジユニット１４を挟持させる。この時、押さえピース１３の第２面に形成されているリブ（不図示）が、バネ部３１ｂの両側の開口部３１ｄ内に収まるように配置させる。また、第１の結合部材３１の案内部３１ａの両側内壁に、リブ１２ｂが近接するように配置させる。次に、ネジ１７を、孔部１３ａを介して、ネジ穴１２ａに螺合させる。これにより、ヒンジユニット１４は、バッテリーカバー１２及び押さえピース１３に対してスライド自在に配される。なお、ヒンジユニット１４のバッテリーカバー１２及び押さえピース１３に対するスライド機構は、第１の結合部材３１の案内部３１ａの両側外壁に、押さえピース１３の第２の面に形成されている不図示のリブであっても何等問題はない。
【００４４】
次に、第２の結合部材３２をバッテリーケース１１に保持させる。具体的には、第２の結合部材３２における孔部３２ｄが形成されている側の端部を、バッテリーケース１１の一対の孔部１１ｃ間に配置させ、第２の結合部材３２に形成されている切り欠き部３２ｄに第１のコイルバネ１５を配置させる。次に、第１の支軸１６を、一対の孔部１１ｃのうちの一方の孔部、一対の孔部３２ｂのうち一方の孔部、第１のコイルバネ１５のコイル部分、孔部３２ｂのうちの他方の孔部、の順に挿通させ、最後に第１の支軸１６の先端を孔部１１ｃのうちの他方の孔部に圧入させる。これにより、バッテリーカバー１２と押さえピース１３とヒンジユニット１４とから構成されるユニットを、バッテリーケース１１に回動自在に結合させることができる。
【００４５】
次に、押し出しバネ１８を、バッテリーケース１１におけるバッテリー収納部の底面に固定させる。次に、ＦＰＣユニット１９をバッテリーケース１１の側面に配置させる。この時、ＦＰＣユニット１９に配されているコンタクト１９ａが、バッテリー収納部内に突出するように配置させる。次に、リアフレーム２０を、ＦＰＣユニット１９上に重なるように配置させる。次に、ネジ２１を、孔部２０ａを介してバッテリーケース１１のネジ穴１１ａに螺合させる。すなわち、バッテリーケース１１とリアフレーム２０とで、ＦＰＣユニット１９を挟持する。
【００４６】
次に、ロックツマミユニットをバッテリーケース１１に組み付ける。具体的には、ロックツマミ２２をバッテリーケース１１に形成されている切り欠き部１１ｅ内に配置させる。次に、ロックツマミ２２の第２面に形成されている突起部に、第２のコイルバネ２３を嵌合させる。次に、ロックツマミ２２の第２面側からロックフレーム２４を覆い被せる。次に、ネジ２５を、ロックフレーム２４の孔部２４ａを挿通させて、バッテリーケース１１のネジ穴１１ｂに螺合させる。これにより、ロックツマミ２２は、第２のコイルバネ２３の弾性力に抗してスライド可能な状態で、バッテリーケース１１に固定される。
【００４７】
以上により、本実施の形態の蓋開閉装置の組み立てが完了する。
【００４８】
なお、組み立ての順番は、上記のような順番に限らず、ロックツマミユニットを先に組み立ててから、バッテリーカバー１２等を組み立てる順番などとしても、問題なく蓋開閉装置を完成させることができる。
【００４９】
〔３．蓋開閉装置の開閉動作〕
図５は、図３に示すカバーユニット１０が閉じた状態からカバーユニット１０をスライドさせた状態を示す。図６は、図５に示す状態からカバーユニット１０を回動させた状態を示す。図７は、図６に示す状態からカバーユニット１０をさらに回動させた状態を示す。なお、以下の説明では、図３に示す状態を「第１の状態」、図６に示す状態を「第２の状態」、図７に示す状態を「第３の状態」と称する。図８は、第２の状態におけるヒンジユニット１４近傍の拡大斜視図である。図９は、第２の状態における第２の支軸３３近傍の拡大断面図である。図１０は、第３の状態におけるヒンジユニット１４近傍の拡大斜視図である。
【００５０】
〔3-1．第１の状態及び第２の状態の間の動作〕
図３に示す第１の状態では、カバーユニット１０は、カメラ本体１の筐体に爪係合によって、閉蓋状態に保持されている。具体的には、図４Ａに示す、バッテリーカバー１２に形成されている爪部１２ｃが、バッテリーケース１１に形成されている爪部１１ｄに係合されていることにより、カバーユニット１０が開くのを防止している。また、バネ部３１ｂの先端に形成されている突起部３１ｆと、押さえピース１３に形成されている凹部１３ｃとが嵌合していることにより、カバーユニット１０が矢印Ａに示す方向へスライドするのを防止している。これにより、カバーユニット１０が、第１のコイルバネ１５の付勢力によって開く動作を規制している。
【００５１】
まず、開蓋動作について説明する。
【００５２】
図３に示す第１の状態から、カバーユニット１０を開く際は、カバーユニット１０を矢印Ａに示す方向へスライドさせて、図５に示す状態にする。この時、カバーユニット１０は、第１の結合部材３１にガイドされてスライドする。具体的には、図４Ａ及び図４Ｂに示す第１の結合部材３１のガイド部３１ａが、バッテリーカバー１２に形成されているリブ１２ｂにガイドされる。また、カバーユニット１０がスライドすることにより、バネ部３１ｂの先端に形成されている突起部３１ｆと、押さえピース１３に形成されている凹部１３ｃとの嵌合状態が解除される。なお、前述のカバーユニット１０のスライドをガイドする構成は、第１の接合部材３１の案内部３１ａの両側外壁を、押さえピース１３の第２の面に備える一対のリブ（不図示）であっても同様に成し得る。
【００５３】
次に、図５に示す状態から、カバーユニット１０を、第１の支軸１６を軸に矢印Ｂに示す方向へ回動させて、図６に示す第２の状態へ移行させる。具体的には、カバーユニット１０の回動動作とともにヒンジユニット１４（図４Ａ参照）が第１の支軸１６を軸に、矢印Ｂに示す方向へ回動される。ここで、カバーユニット１０は、第１のコイルバネ１５によって矢印Ｂに示す方向へ付勢力が与えられているため、爪部１１ｄと爪部１２ｃ（図４Ａ参照）との係合が外れた時（すなわち図５に示す状態）に、第１のコイルバネ１５の付勢力によって第２の状態まで回動される。
【００５４】
図６に示す第２の状態では、第２の結合部材３２が第１のコイルバネ１５によって矢印Ｃに示す方向へ付勢されているとともに、第２の結合部材３２がバッテリー収納部５の縁部に当接しているため矢印Ｃに示す方向への回動が規制されている。また、第１の結合部材３１と第２の結合部材３２とは、孔部３１ｅに突起部３２ａ（図９参照）が嵌合されているため、第２の結合部材３２が第１の結合部材３１に対する回動が規制されている。したがって、バッテリーカバー１２は、矢印Ｃ及びＦに示す方向への回動が規制され、第２の状態を維持している。
【００５５】
図６に示す第２の状態において、バッテリー収納部５に収納されているバッテリー６を矢印Ｅに示す方向へ取り出したり、バッテリー収納部５にバッテリー６を収納したりすることができる。
【００５６】
以上により、カバーユニット１０の開蓋動作が完了する。
【００５７】
なお、バッテリー収納部５に収納されているバッテリー６を取り出す際は、図６に示すようにロックツマミ２２を、第２のコイルバネ２３（図４Ａ参照）の付勢力に抗して矢印Ｈに示す方向へスライド操作させる。ロックツマミ２２を投影面上でバッテリー６に重ならない位置までスライドさせると、バッテリー６は、押し出しバネ１８（図４Ａ参照）の付勢力によって、矢印Ｅに示す方向へ押し出される。押し出されたバッテリー６は、コンタクト１９ａとの電気的接続が解除される。この時、押し出しバネ１８のバネレートは、ロックツマミ２２によるロック状態が解除されているバッテリー６の上面近傍がバッテリー収納部５から突出するように設定されているため、ロックが解除されて押し出されたバッテリー６を指で掴みやすく、バッテリー収納部５から取り出しやすい。また、押し出しバネ１８のバネレートが高すぎないため、押し出しバネ１８によって、バッテリー６がバッテリー収納部５から完全に飛び出すこともない。
【００５８】
また、バッテリー収納部５にバッテリー６を収納する際は、図６に示す第２の状態において、ロックツマミ２２を第２のコイルバネ２３の付勢力に抗して矢印Ｈ方向へ押圧した状態で、バッテリー６を矢印Ｅの反対方向へ押し込む。なお、ロックツマミ２２にはテーパが形成されているため、バッテリー６の挿入時、バッテリー６は角部でロックツマミ２２を矢印Ｈに示す方向へ押圧しながらバッテリー挿入部５へ挿入される。また、バッテリー６の挿入動作中は、ロックツマミ２２はバッテリー６の側面によって押圧されて位置規制される。また、バッテリー６の挿入時、バッテリー６に対して、矢印Ｅに示す方向に押し出しバネ１８の付勢力が加わるが、その付勢力に抗するように押し込む。バッテリー６の上面がロックツマミ２２よりも低い位置に到達するまでバッテリー６が押し込まれると、ロックツマミ２２は、バッテリー６による位置規制が解除され、第２のコイルバネ２３の付勢力によって矢印Ｈ方向の反対方向へ移動する。ロックツマミ２２は、バッテリー６に投影面上で重なる位置まで移動されると、第２のコイルバネ２３の付勢力によってその位置にとどまり、バッテリー６が矢印Ｅに示す方向へ移動するのを規制することができる。この時、バッテリー６とコンタクト１９ａとは、電気的に接続される。
【００５９】
次に、閉蓋動作について説明する。
【００６０】
図６に示す第２の状態からカバーユニット１０を閉じる場合（すなわち第１の状態へ移行させる場合）は、まず、カバーユニット１０を矢印Ｆに示す方向へ回動させる。カバーユニット１０が回動されるのに伴って、ヒンジユニット１４は、第１の支軸１６を軸に矢印Ｆに示す方向へ回動される。この時、ヒンジユニット１４における第２の結合部材３２には、第１のコイルバネ１５による付勢力が働いているため、その付勢力に抗して回動される。回動後の状態を図５に示す。
【００６１】
次に、図５に示す状態からカバーユニット１０を矢印Ｇに示す方向へスライドさせる。この時、カバーユニット１０には、第１のコイルバネ１５よる付勢力が働いているため、カバーユニット１０を上方向から軽く押圧しながら、矢印Ｇに示す方向へスライドさせる必要がある。また、カバーユニット１０は、第１の結合部材３１によってガイドされてスライド動作を行う。なお、第１の結合部材３１によるガイド方法については前述の開蓋動作と逆の動作であるため、ここでの説明は省略する。スライド後の状態を図３に示す。
【００６２】
カバーユニット１０を図３に示す第１の状態までスライドさせると、爪部１１ｃと爪部１２ｃとが係合し、カバーユニット１０の回動が規制される状態になる。また、バネ部３１ｂが弾性変形しながら、突起部３１ｆと凹部１３ｃとが嵌合されることによって、第１の結合部材３１と第２の結合部材３２との互いのスライド動作が規制され、カバーユニット１０のスライド動作が規制される。
【００６３】
以上により、カバーユニット１０の閉蓋動作が完了する。
【００６４】
〔3-2．第２の状態及び第３の状態の間の動作〕
カバーユニット１０は、図６に示す第２の状態から、図７に示す第３の状態へ回動させることができる。
【００６５】
具体的には、図８及び図９に示すように、第２の状態では、第１の結合部材３１に形成されている孔部３１ｅに、第２の結合部材３２に形成されている突起部３２ａ（図９参照）が嵌合されているため、第１の結合部材３１は第２の結合部材３２に対して回動が規制されている。しかし、図６に示すように、カバーユニット１０に対して矢印Ｃに示す方向に押圧力が印加されると、第１の結合部材３１が矢印Ｃに示す方向に回動し始める。第１の結合部材３１が所定角度まで回動すると、第１の結合部材３１における孔部３１ｅの周辺が突起部３２ａに乗り上げて弾性変形し始める。さらに第１の結合部材３１が回動すると、図１０に示すように孔部３１ｅと突起部３２ａとの嵌合が外れる。孔部３１ｅと突起部３２ａとの嵌合が外れた時、第１の結合部材３１における孔部３１ｅの近傍部分は、弾性復帰し元の形状に戻る。
【００６６】
これにより、第１の結合部材３１は、第２の結合部材３２に対して、第２の支軸３３を軸に矢印Ｃに示す方向へ回動可能な状態になる。よって、カバーユニット１０は、第２の支軸３３を軸に矢印Ｃに示す方向へ回動可能な状態になる。なお、第２の状態から第３の状態の間では、第１の結合部材３１には回動方向への付勢力が与えられていないため、孔部３１ｅと突起部３２ａとの嵌合が外れると、バッテリーカバー１２及び第１の結合部材３１は重力にしたがって回動可能な状態になる。例えば、カメラ本体１を、図７に示すように底面１ｂが上方向を向くような状態にすると、カバーユニット１０は図示のように第３の状態になる。
【００６７】
また、カバーユニット１０が第２の状態の時、例えばカメラ本体１の底面１ｂを下方向に向けたまま机等の平面にカメラ本体１を誤って置いた場合や、例えばバッテリー６の装脱着の際にカメラ本体１を把持している手が滑り落下させた場合等の何れであっても、第２の状態から第３の状態に移行することでヒンジユニット１４が損傷することがない。
【００６８】
なお、第３の状態において、図７に示したようにバッテリーカバー１２の外面１２ｅと底面１ｂとが必ずしも密着する必要はなく、ヒンジユニット１４近傍で外面１２ｅと底面１ｂとの境界面に隙間があっても、第２の状態から第３の状態への移行に伴いカバーユニット１０の破損を防ぐことができる。また、例えば第２の結合部材３２の長さを長くすることで第１の支軸の軸心から底面１ｂまでの距離よりも第１の結合部材３１が底面１ｂから突出する場合、または第２の結合部材３２の長さを短く構成することで、第２の支軸３３回りの回動によりバッテリーカバー１２のヒンジユニット１４側の端面１２ｄと底面１ｂとが当接する場合でも、第１の結合部材の長さを長くすることによってヒンジユニット１４に与える衝撃力を弱めることができる。すなわち、図１１に示したように、第１の支軸１６の軸心と第２の支軸３３の軸心との距離Ｌ1が、第１の支軸１６の軸心から底面１ｂまでの距離Ｌ2と第２の支軸３３の軸心から外面１２ｅまでの距離Ｌ3との和以上であれば、図７に示したような第３の状態を満足させることができる。なお、図１１は、カメラ本体１が図６に示す状態の時の、蓋開閉装置の要部側断面図である。
【００６９】
カバーユニット１０を、図７に示す第３の状態から図６に示す第２の状態へ移行させる際は、カバーユニット１０を矢印Ｄに示す方向へ回動させる。これに伴い、第１の結合部材３１は、第２の支軸３３を軸に、矢印Ｄに示す方向へ回動される。カバーユニット１０を図６に示す第２の位置まで回動させると、図８及び図９に示すように孔部３１ｅと突起部３２ａとが嵌合される。これにより、第１の結合部材３１は第２の結合部材３２に対して位置決めされる。よって、カバーユニット１０は、図６に示す第２の状態で位置が保持される。
【００７０】
〔４．実施の形態の効果、他〕
以上のように本実施の形態によれば、第２の結合部材３２をバッテリーケース１１に回動自在に結合し、第１の結合部材３１を第２の結合部材３２に回動自在に結合することにより、カバーユニット１０を従来の第１の状態から第２の状態までの範囲に加えて、第２の状態から第３の状態まで回動させることができる。よって、カバーユニット１０が第２の状態にある時に、カバーユニット１０に対して開蓋方向に押圧力や衝撃が印加されたとしても、カバーユニット１０が第３の状態まで回動することにより、カバーユニット１０が破損するのを防ぐことができる。
【００７１】
例えば、カバーユニット１０が第２の状態にある時に、誤ってカメラ本体１を床などに落下させてしまった場合、カバーユニット１０に対して矢印Ｆ（図６参照）方向に衝撃が加わればカバーユニット１０は矢印Ｆ方向に回動され、またカバーユニット１０に対して矢印Ｃ（図６参照）方向に衝撃が加わればカバーユニット１０は第３の状態まで回動されるため、バッテリーカバー１２やヒンジユニット１４などが破損するのを防ぐことができる。
【００７２】
また、カバーユニット１０を第２の状態から第３の状態まで回動させることができるので、カバーユニット１０の開口量を大きく確保することができ、バッテリー６の出し入れを容易に行うことができる。
【００７３】
また、ヒンジユニット１４の構成部品は、樹脂や金属で形成されているため、長期間に渡って使用しても部品の劣化がほとんどなく、耐久性を向上させることができる。
【００７４】
また、ヒンジユニット１４の一端部を、バッテリーカバー１２内でスライドさせる構成としたので、カメラ本体１を小型化することができる。すなわち、ヒンジユニット１４の一端部をバッテリーカバー１２に固定し、他端部をカメラ本体１内でスライドさせる構成にすると、カメラ本体１内にヒンジユニット１４をスライドさせるための空間を設ける必要があり、カメラ本体１が大型化してしまう。本実施の形態では、ヒンジユニット１４をバッテリーカバー１２内でスライドさせる構成としたので、カメラ本体１内にヒンジユニット１４をスライドさせるための空間を設ける必要がなく、カメラ本体１を小型化することができる。
【００７５】
また、第１の結合部材３１と第２の結合部材３２とを、孔部３１ｅと突起部３２ａとの嵌合により位置決めする構成としたので、カバーユニット１０が第２の状態の時、不意に第３の状態へ移行してしまうことがない。したがって、バッテリー６の交換時などのようにカバーユニット１０を第１の状態から第２の状態へ移行させた時に、慣性によって不意に第３の状態へ移行してしまうことがないため、カバーユニット１０の開閉時の操作感を損なうことがない。
【００７６】
なお、本実施の形態では、第１の結合部材３１に孔部３１ｅが形成され、第２の結合部材３２に突起部３２ａが形成されている構成としたが、第１の結合部材３１に突起部を形成し、第２の結合部材３２に孔部を形成する構成としても、同様に機能する。
【００７７】
また、本実施の形態では、孔部３１ｅと突起部３２ａとの嵌合により、第１の結合部材３１を第２の結合部材３２に対して位置決めする構成としたが、少なくとも、カバーユニット１０が第１の状態または第２の状態の時に、第１の結合部材３１を第２の結合部材３２に対して位置決め可能な構成を備えていればよい、例えば、孔部３１ｅ及び突起部３２ａに代えて、第１の結合部材３１及び第２の結合部材３２のいずれか一方に磁性体を配し、他方を金属などで構成し、両者を磁気吸着により位置決めする構成が考えられる。
【産業上の利用可能性】
【００７８】
本発明の蓋開閉装置は、バッテリーを隠蔽することができるバッテリーカバーの他、各種機器に搭載されている通信端子や電源端子などの各種端子を隠蔽することができる端子カバーや、メモリーカードを着脱可能なカードスロットを隠蔽することができるカバーなどに有用である。その適用範囲は、ビデオカメラに限らず、デジタルスチルカメラ、携帯電話機、オーディオ機器などの機器に搭載可能である。
【図面の簡単な説明】
【００７９】
【図１】実施の形態１における蓋開閉装置が搭載された機器の外観を示す斜視図
【図２】実施の形態１における蓋開閉装置が搭載された機器の外観を示す斜視図
【図３】実施の形態１における蓋開閉装置が搭載された機器の外観を示す斜視図
【図４Ａ】実施の形態１における蓋開閉装置の分解斜視図
【図４Ｂ】実施の形態１におけるヒンジユニットの分解斜視図
【図４Ｃ】実施の形態１におけるカバーユニットの分解斜視図
【図５】実施の形態１における蓋開閉装置が搭載された機器の外観を示す斜視図
【図６】実施の形態１における蓋開閉装置が搭載された機器の外観を示す斜視図
【図７】実施の形態１における蓋開閉装置が搭載された機器の外観を示す斜視図
【図８】実施の形態１における第２の支軸近傍の要部斜視図
【図９】実施の形態１における第２の支軸近傍の要部斜視図
【図１０】実施の形態１における第２の支軸近傍の要部断面図
【図１１】実施の形態１における蓋開閉装置の要部側断面図
【符号の説明】
【００８０】
１  カメラ本体
５  バッテリー収納部
１０  カバーユニット
１２  バッテリーカバー
１４  ヒンジユニット
１６  第１の支軸
３１  第１の結合部材
３１ｅ  孔部
３２  第２の結合部材
３２ａ  突起部
３３  第２の支軸
【図１】
2008089754.tif 000003
【図２】
2008089754.tif 000004
【図３】
2008089754.tif 000005
【図４Ａ】
2008089754.tif 000006
【図４Ｂ】
2008089754.tif 000007
【図４Ｃ】
2008089754.tif 000008
【図５】
2008089754.tif 000009
【図６】
2008089754.tif 000010
【図７】
2008089754.tif 000011
【図８】
2008089754.tif 000012
【図９】
2008089754.tif 000013
【図１０】
2008089754.tif 000014
【図１１】
2008089754.tif 000015